(57)【要約】【課題】使い勝手良く効果的なストロボ発光をさせることを可能にする。【解決手段】本体ボディに設けられた本体ストロボ発光部と、撮像された画像を表示するための表示部１７とモニタストロボ発光部６ｂとが設けられたモニタストロボ部７と、第１軸７ｂとこの第１軸７ｂに直行する第２軸７ｃとが設けられたヒンジ部７ａとを有する。ヒンジ部７ａは、第１軸７ｂによりモニタストロボ部７を本体ボディに対して回動可能に結合すると共に、第２軸７ｃによりモニタストロボ部７を回動可能にする。【選択図】      図１
2005250399.tif 000002
【特許請求の範囲】
【請求項１】
本体に設けられた光を照射する第１発光手段と、
画像を撮像する撮像手段と、
前記撮像手段によって撮像された画像を表示するための表示手段と光を照射する第２発光手段とが設けられた表示発光手段と、
第１軸と前記第１軸に直行する第２軸とを有し、前記第１軸により前記表示発光手段を前記本体に対して回動可能に結合すると共に、前記第２軸により前記表示発光手段を回動可能にするヒンジ機構と
を具備したことを特徴とする撮像装置。
【請求項２】
前記第２発光手段による発光量を、前記第１発光手段の発光量より大きくすることを特徴とする請求項１記載の撮像装置。
【請求項３】
前記撮像手段による撮像の際に前記第１発光手段と前記第２発光手段の少なくとも一方から光を照射させる制御手段をさらに具備したことを特徴とする請求項１記載の撮像装置。
【請求項４】
前記第１発光手段と前記第２発光手段のそれぞれについて、光を照射させるか否かを設定する設定手段を有し、
前記制御手段は、前記設定手段による設定に応じて、前記第１発光手段と前記第２発光手段の少なくとも一方から光を照射させることを特徴とする請求項３記載の撮像装置。
【請求項５】
前記第１軸の回転位置を検知する第１検知手段と、
前記第２軸の回転位置を検知する第２検知手段とを有し、
前記制御手段は、前記第１検知手段と前記第２検知手段による検知に応じて、前記第１発光手段と前記第２発光手段の少なくとも一方から光を照射させることを特徴とする請求項３記載の撮像装置。
【請求項６】
前記撮像手段による撮像される被写体までの距離を測定する距離測定手段を具備し、
前記制御手段は、前記距離測定手段によって測定された距離に応じて、前記第１発光手段と前記第２発光手段の少なくとも一方から光を照射させることを特徴とする請求項３記載の撮像装置。
【請求項７】
本体に設けられた光を照射する第１発光手段と、
画像を撮像する撮像手段と、
前記撮像手段によって撮像された画像を表示するための表示手段と光を照射する第２発光手段とが設けられた表示発光手段と、
第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、
前記第１発光手段と前記第２発光手段のそれぞれについて、光を照射させるか否かを設定し、
この設定に応じて、前記第１発光手段と前記第２発光手段の少なくとも一方から光を照射させることを特徴とする発光制御方法。
【請求項８】
本体に設けられた光を照射する第１発光手段と、
画像を撮像する撮像手段と、
前記撮像手段によって撮像された画像を表示するための表示手段と光を照射する第２発光手段とが設けられた表示発光手段と、
第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、
前記第１軸の回転位置と前記第２軸の回転位置とを検知し、
この検知された前記第１軸の回転位置と前記第２軸の回転位置に応じて、前記第１発光手段と前記第２発光手段の少なくとも一方から光を照射させることを特徴とする発光制御方法。
【請求項９】
本体に設けられた光を照射する第１発光手段と、
画像を撮像する撮像手段と、
前記撮像手段によって撮像された画像を表示するための表示手段と光を照射する第２発光手段とが設けられた表示発光手段と、
第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、
前記撮像手段による撮像される被写体までの距離を測定し、
この測定された距離に応じて、前記第１発光手段と前記第２発光手段の少なくとも一方から光を照射させることを特徴とする発光制御方法。
【発明の詳細な説明】
【技術分野】
【０００１】
本発明は、ストロボなどの発光部を設けた撮像装置、及び発光制御方法に関する。
【背景技術】
【０００２】
従来、スペースを有効に利用して小型化を図ったカメラが考えられている（例えば特許文献１）。特許文献１に記載されたカメラでは、カメラボディの上部、起立位置と畳み位置との間で回動される表示ユニットが取り付けられている。表示ユニットには、ファインダ画像が表示される液晶ディスプレイが設けられ、液晶ディスプレイが設けられた面の裏側にプロテクタ（ストロボ）が設けられている。表示ユニットが起立位置にあるとき、カメラボディの後方に液晶ディスプレイの表示面が向き、前方にプロテクタからのストロボ光が照射されるようになる。表示ユニットが畳み位置にあるとき、表示ユニットのプロテクタが設けられた面で撮像レンズが多い隠される。
【特許文献１】特開平１１−２５８６５７号公報
【発明の開示】
【発明が解決しようとする課題】
【０００３】
このように特許文献１に記載された従来のカメラでは、表示ユニットの一方の面に液晶ディスプレイを設け、その反対の面にプロテクタ（ストロボ）を設けて、表示ユニットを回動可能となるようにカメラボディに取り付けることで小型化を図っている。
【０００４】
しかしながら、従来のカメラによって撮影をする場合には、表示ユニットを起立位置にして使用するしかなく使い勝手が悪かった。すなわち、表示ユニットを起立位置にしなければ撮影レンズが開放されないため、撮影時には常に表示ユニットが起立した状態となってしまう。また、使用時の液晶ディスプレイの表示面は常に後方を向くことになり、例えば自分を撮影する場合などにおいて撮影画像をモニタすることができない。さらに、ストロボの使用形態についても、表示ユニットを起立させた通常使用に限られており、発光方向が常に一定となっていた。
【０００５】
本発明の課題は、使い勝手良く効果的なストロボ発光をさせることが可能な撮像装置、発光制御方法を提供することにある。
【課題を解決するための手段】
【０００６】
請求項１記載の発明は、本体に設けられた光を照射する第１発光手段と、画像を撮像する撮像手段と、前記撮像手段によって撮像された画像を表示するための表示手段と光を照射する第２発光手段とが設けられた表示発光手段と、第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを具備したことを特徴とする。
【０００７】
請求項２記載の発明は、請求項１記載の発明において、前記第２発光手段による発光量を、前記第１発光手段の発光量より大きくすることを特徴とする。
【０００８】
請求項３記載の発明は、請求項１記載の発明において、前記撮像手段による撮像の際に前記第１発光手段と前記第２発光手段の少なくとも一方から光を照射させる制御手段をさらに具備したことを特徴とする。
【０００９】
請求項４記載の発明は、請求項３記載の発明において、前記第１発光手段と前記第２発光手段のそれぞれについて、光を照射させるか否かを設定する設定手段を有し、前記制御手段は、前記設定手段による設定に応じて、前記第１発光手段と前記第２発光手段の少なくとも一方から光を照射させることを特徴とする。
【００１０】
請求項５記載の発明は、請求項３記載の発明において、前記第１軸の回転位置を検知する第１検知手段と、前記第２軸の回転位置を検知する第２検知手段とを有し、前記制御手段は、前記第１検知手段と前記第２検知手段による検知に応じて、前記第１発光手段と前記第２発光手段の少なくとも一方から光を照射させることを特徴とする。
【００１１】
請求項６記載の発明は、請求項３記載の発明において、前記撮像手段による撮像される被写体までの距離を測定する距離測定手段を具備し、前記制御手段は、前記距離測定手段によって測定された距離に応じて、前記第１発光手段と前記第２発光手段の少なくとも一方から光を照射させることを特徴とする。
【００１２】
請求項７記載の発明は、本体に設けられた光を照射する第１発光手段と、画像を撮像する撮像手段と、前記撮像手段によって撮像された画像を表示するための表示手段と光を照射する第２発光手段とが設けられた表示発光手段と、第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、前記第１発光手段と前記第２発光手段のそれぞれについて、光を照射させるか否かを設定し、この設定に応じて、前記第１発光手段と前記第２発光手段の少なくとも一方から光を照射させることを特徴とする。
【００１３】
請求項８記載の発明は、本体に設けられた光を照射する第１発光手段と、画像を撮像する撮像手段と、前記撮像手段によって撮像された画像を表示するための表示手段と光を照射する第２発光手段とが設けられた表示発光手段と、第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、前記第１軸の回転位置と前記第２軸の回転位置とを検知し、この検知された前記第１軸の回転位置と前記第２軸の回転位置に応じて、前記第１発光手段と前記第２発光手段の少なくとも一方から光を照射させることを特徴とする。
【００１４】
請求項９記載の発明は、本体に設けられた光を照射する第１発光手段と、画像を撮像する撮像手段と、前記撮像手段によって撮像された画像を表示するための表示手段と光を照射する第２発光手段とが設けられた表示発光手段と、第１軸と前記第１軸に直行する第２軸とを有し、前記第１軸により前記表示発光手段を前記本体に対して回動可能に結合すると共に、前記第２軸により前記表示発光手段を回動可能にするヒンジ機構とを有する撮像装置の発光制御方法であって、前記撮像手段による撮像される被写体までの距離を測定し、この測定された距離に応じて、前記第１発光手段と前記第２発光手段の少なくとも一方から光を照射させることを特徴とする。
【発明の効果】
【００１５】
請求項１記載の発明によれば、本体に設けられた第１発光手段の他に、表示発光手段に第２発光手段を設け、表示発光手段を第１軸と第２軸を持つヒンジ機構により本体に対して回動可能に結合することにより、第２発光手段を任意の方向に向けることができるので、第１発光手段のみを用いる場合、第２発光手段のみを用いる場合、両方を用いるなど選択的な使用を可能にし、使い勝手良く効果的なストロボ発光をさせることができるようになる。
【００１６】
請求項２記載の発明によれば、請求項１の発明の効果に加えて、第２発光手段を本体ではなく、ヒンジ機構を介して本体に結合される表示発光手段に設けることで、第２発光手段による発光量を第１発光手段の発光量より大きくすることができ、これにより発光量の異なる２つの発光手段を状況に合わせて使い分けすることができる。
【００１７】
請求項３記載の発明によれば、請求項１発明の効果に加えて、撮像手段による撮像の際に第１発光手段と第２発光手段の少なくとも一方から光を照射させることができるため、撮影状況に合わせた効果的な発光が可能となる。
【００１８】
請求項４記載の発明によれば、請求項３発明の効果に加えて、第１発光手段と第２発光手段のそれぞれについて、光を照射させるか否かを設定できるようにすることで、目的に合わせて２つ発光手段を任意に使用することができる。
【００１９】
請求項５記載の発明によれば、請求項３の発明の効果に加えて、第１軸の回転位置と第２軸の回転位置とを検知して、この検知に応じて第１発光手段と第２発光手段の少なくとも一方から光を照射させるので、特別な設定などをすることなく、ヒンジ機構の状況に応じて自動的に発光させることができる。
【００２０】
請求項６記載の発明によれば、請求項３の発明の効果に加えて、撮像手段による撮像される被写体までの距離を測定し、この測定された距離に応じて第１発光手段と第２発光手段の少なくとも一方から光を照射させるので、被写体までの距離が遠くなるほど発光量が大きくなるように２つの発光手段を効果的に使用することができる。
【００２１】
請求項７記載の発明によれば、第１発光手段と第２発光手段のそれぞれについて、光を照射させるか否かを設定できるようにすることで、目的に合わせて２つ発光手段を任意に使用することができる。
【００２２】
請求項８記載の発明によれば、第１軸の回転位置と第２軸の回転位置とを検知して、この検知に応じて第１発光手段と第２発光手段の少なくとも一方から光を照射させるので、特別な設定などをすることなく、ヒンジ機構の状況に応じて自動的に発光させることができる。
【００２３】
請求項９記載の発明によれば、撮像手段による撮像される被写体までの距離を測定し、この測定された距離に応じて第１発光手段と第２発光手段の少なくとも一方から光を照射させるので、被写体までの距離が遠くなるほど発光量が大きくなるように２つの発光手段を効果的に使用することができる。
【発明を実施するための最良の形態】
【００２４】
以下、図面を参照して本発明の実施の形態について説明する。
【００２５】
図１及び図２は、本発明をデジタルカメラに適用した場合の実施の形態について示す図である。
【００２６】
図１は、その外観構成の主に背面の構成を示し、図２は、主に前面の構成を示す斜視図である。図１（Ａ）及び図２（Ａ）は、後述するモニタストロボ部７（表示発光手段）をヒンジ部７ａによって起立させた状態（以下、起立状態と称する）、図１（Ｂ）及び図２（Ｂ）は、モニタストロボ部７を本体ボディと一体化させて収納した状態（以下、収納状態と称する）を示している。
【００２７】
デジタルカメラ１は、全体が略矩形（モニタストロボ部７の収納時）となる薄板状ボディの前面に、撮影レンズ２、セルフタイマランプ３、光学ファインダ窓４、マイクロホン部５、本体ストロボ発光部６ａを配設し、上面の（ユーザにとって）右端側には電源キー８及びシャッタキー９を配する。
【００２８】
また、電源キー８は、電源のオン／オフ毎に操作するキーであり、シャッタキー９は、撮影モード時に撮影を指示する一方で、メニュー選択等では設定／実行を指示する実行キーとしても機能するものとする。
【００２９】
また、デジタルカメラ１の背面には、モニタストロボ部７、モードスイッチ１０、スピーカ部１１、メニューキー１２、十字キー１３、光学ファインダ１５、及びストロボチャージランプ１６を配する。
【００３０】
モニタストロボ部７は、ヒンジ部７ａによって、回動可能となるように本体ボディに取り付けられている。ヒンジ部７ａは、本体ボディの上端近傍に設けられており、水平方向の第１軸７ｂと、第１軸７ｂの長手方向の中心に第１軸７ｂ対して直交する第２軸７ｃが設けられている。第１軸７ｂによりモニタストロボ部７を本体ボディに対して回動可能となるように結合し、さらに第２軸７ｃによりモニタストロボ部７を回動可能にする。
【００３１】
図３には、モニタストロボ部７を収納状態におけるモニタストロボ部７とヒンジ部７ａの断面構造を示している。
【００３２】
モニタストロボ部７は、第２軸７ｃによってヒンジ部７ａと取り付けられており、第２軸７ｃにより、図１（Ａ）に示すように、例えば０〜１８０度の範囲で回転可能となっている。また、モニタストロボ部７は、第１軸７ｂにより、図１（Ｂ）に示す収納状態から図１（Ｂ）に示す起立状態の範囲、すなわち０〜１８０度の範囲で回動可能となっている。
【００３３】
モニタストロボ部７は、略矩形の薄板状ボディを有しており、一方の面（表面）に表示部１７が設けられ、表示部１７が設けられた面の反対側の面（裏面）にモニタストロボ発光部６ｂが設けられている。
【００３４】
従って、ヒンジ部７ａによってモニタストロボ部７を収納した時、図１（Ｂ）に示すように、表示部１７を外部に露出させることで、表示部１７に表示される画像を確認できる。
【００３５】
また、図１（Ｂ）に示す状態からヒンジ部７ａの第１軸７ｂによりモニタストロボ部７を回動させることで、モニタストロボ部７を起立状態とすることができる。この場合、表示部１７が撮影レンズ２による撮影方向に向くため、例えば自分を撮影する場合に表示部１７に表示される画像を確認することができる。
【００３６】
また、図１（Ｂ）に示す状態から第１軸７ｂによりモニタストロボ部７を起立状態にして、図１（Ａ）に示すように、モニタストロボ部７を第２軸７ｃにより水平方向に１８０度回動させることで、図２（Ａ）に示すように、モニタストロボ部７に設けられたモニタストロボ発光部６ｂを、撮影レンズ２による撮影方向と同じ向きにすることができる。この場合、モニタストロボ発光部６ｂは、本体ボディに設けられた本体ストロボ発光部６ａと同じ方向にストロボ光を照射することになる。
【００３７】
また、図２（Ａ）に示す状態から第１軸７ｂによりモニタストロボ部７の回動角度を変えることで、モニタストロボ発光部６ｂによるストロボ光の照射方向を上下方向で変更することができる。さらに、図２（Ａ）に示す状態から第２軸７ｃによりモニタストロボ部７の回動角度を変えることで、モニタストロボ発光部６ｂによるストロボ光の照射方向を左右方向で変更することができる。すなわち、モニタストロボ発光部６ｂから、本体ボディに設けられた本体ストロボ発光部６ａと異なる方向にストロボ光を照射させることができる。
【００３８】
なお、図１（Ｂ）では表示部１７を外部に露出するようにしてモニタストロボ部７を収納状態にしているが、デジタルカメラ１を使用しない場合には、表示部１７を本体ボディ側にして、モニタストロボ発光部６ｂを露出するように収納することができる。これにより、表示部１７の表面を保護して、持ち歩いた場合でもキズなどが付かないようにできる。
【００３９】
モードスイッチ１０は、例えばスライドキースイッチにより構成され、基本モードである撮影モード「Ｒ」と再生モード「Ｐ」とを切換える。
【００４０】
メニューキー１２は、各種メニュー項目等を選択させる際に操作する。
【００４１】
十字キー１３は、上下左右各方向へのカーソル移動用のキーが一体に形成されたものである。
【００４２】
光学ファインダ１５は、表示部１７を使用せずに被写体像を視認する際に使用する。
【００４３】
ストロボチャージランプ１６は、ストロボの発光動作状態をその色及び点滅／点灯等のパターンにより表示する。図１では、
表示部１７は、バックライト付きのカラー液晶パネルで構成されるもので、撮影モード時には電子ファインダとしてスルー画像のモニタ表示を行なう一方で、再生モード時には選択した画像を再生表示する。表示部１７は、電子ファインダとしてモニタ表示する際、モニタストロボ部７がヒンジ部７ａにより収納状態から起立状態にされた場合に画像を上下反転させて表示する。
【００４４】
なお、図示はしないがデジタルカメラ１の底面には、記録媒体として用いられるメモリカードを着脱するためのメモリカードスロットや、外部のパーソナルコンピュータ等と接続するためのシリアルインタフェースコネクタとして、例えばＵＳＢ（Universal Serial Bus）コネクタ等が設けられるものとする。
【００４５】
次いで図４によりデジタルカメラ１の電子回路構成を説明する。同図で、基本モードである撮影モードにおいては、所定のビデオレート、１／３０［秒］毎にモータ（Ｍ）２１の駆動により絞り位置や通常撮影に応じたレンズ位置が移動される、撮影レンズ２を構成するレンズ光学系２２の撮影光軸後方に配置された撮像素子であるＣＣＤ（Charge Coupled Device）２３が、タイミング発生器（ＴＧ）２４、垂直ドライバ２５によって走査駆動され、一定周期毎に結像した光像に対応する光電変換出力を１画面分出力する。
【００４６】
この光電変換出力は、アナログ値の信号の状態でＲＧＢの各原色成分毎に適宜ゲイン調整された後に、サンプルホールド（Ｓ／Ｈ）回路２６でサンプルホールドされ、Ａ／Ｄ変換器２７でデジタルデータに変換され、さらにカラープロセス回路２８で画素補間処理及びγ補正処理を含むカラープロセス処理が行なわれて、デジタル値の輝度信号Ｙ及び色差信号Ｃｂ，Ｃｒが生成され、ＤＭＡ（Direct Memory Access）コントローラ２９に出力される。
【００４７】
ＤＭＡコントローラ２９は、カラープロセス回路２８の出力する輝度信号Ｙ及び色差信号Ｃｂ，Ｃｒを、同じくカラープロセス回路２８からの複合同期信号、メモリ書込みイネーブル信号、及びクロック信号を用いて一度ＤＭＡコントローラ２９内部のバッファに書込み、ＤＲＡＭインタフェース（Ｉ／Ｆ）３０を介してバッファメモリとして使用されるＤＲＡＭ３１にＤＭＡ転送を行なう。
【００４８】
制御部３２は、ＣＰＵと、後述する撮影モード時のヒンジ部７ａの状態（後述する第１軸検出スイッチ４２、第２軸検出スイッチ４４の検出状態）に応じたストロボ制御の処理を含む該ＣＰＵで実行される動作プログラムやストロボモード設定のためのストロボ選択メニューのデータ等を固定的に記憶したＲＯＭ、及びワークメモリとして使用されるＲＡＭ等により構成され、このデジタルカメラ１全体の制御動作を司る。
【００４９】
しかして制御部３２は、輝度及び色差信号のＤＲＡＭ３１へのＤＭＡ転送終了後に。この輝度及び色差信号をＤＲＡＭインタフェース３０を介してＤＲＡＭ３１より読出し、ＶＲＡＭコントローラ３３を介してＶＲＡＭ３４に書込む。、
デジタルビデオエンコーダ３５は、輝度及び色差信号をＶＲＡＭコントローラ３３を介してＶＲＡＭ３４より定期的に読出し、これらのデータを元にビデオ信号を発生して表示部１７に出力する。
【００５０】
表示部１７は、前述した如くヒンジ部７ａによって回動可能なモニタストロボ部７に設けられるもので、撮影モード時にはモニタ表示部（電子ファインダ）として機能し、デジタルビデオエンコーダ３５からのビデオ信号に基づいた表示を行なうことで、その時点でＶＲＡＭコントローラ３３から取込んでいる画像情報に基づく画像をリアルタイムに表示することとなる。
【００５１】
このように表示部１７にその時点での画像がモニタ画像としてリアルタイムに表示されている、所謂スルー画像のモニタ表示状態で、静止画撮影を行ないたいタイミングでシャッタキー９を操作すると、トリガ信号を発生する。
【００５２】
制御部３２は、このトリガ信号に応じてその時点でＣＣＤ２３のビデオレートにしたがった駆動を停止した後、自動露出処理を実行して適正な露出値を得、得た内容に基づいてレンズ光学系２２の絞りとＣＣＤ２３の露光時間を制御してあらためて撮像を実行させる。
【００５３】
こうして新たに得られた１フレーム分の画像データがＤＲＡＭ３１にＤＭＡ転送されて書込まれた後、制御部３２がＤＲＡＭ３１に書込まれている１フレーム分の輝度及び色差信号をＤＲＡＭインタフェース３０を介してＹ，Ｃｂ，Ｃｒの各コンポーネント毎に縦８画素×横８画素の基本ブロックと呼称される単位で読出してＪＰＥＧ（Joint Photographic Experts Group）回路３６に書込み、このＪＰＥＧ回路３６でＡＤＣＴ（Adaptive Discrete Cosine Transform：適応離散コサイン変換）、エントロピ符号化方式であるハフマン符号化等の処理によりデータ圧縮する。
【００５４】
そして、得た符号データを１画像のデータファイルとして該ＪＰＥＧ回路３６から読出し、このデジタルカメラ１の記録媒体として着脱自在に装着されているメモリカード３７か、メモリカード３７が装着されていない場合はこのデジタルカメラ１に固定的に内蔵される内蔵メモリ３８に書込む。
【００５５】
そして、１フレーム分の輝度及び色差信号の圧縮処理及びメモリカード３７または内蔵メモリ３８への全圧縮データの書込み終了に伴なって、制御部３２はビデオレートに基づいたＣＣＤ２３からＤＲＡＭ３１を経由して表示部１７でスルー画像をモニタ表示させる駆動を再開する。
【００５６】
なお、デジタルカメラ１には、オートフォーカス機能が設けられており、被写体までの距離の測定が可能であるものとする。例えば赤外線などを発して被写体からの反射を検出して、被写体との距離を測定するアクティブ方式などを使用することができる（パッシブ方式など他の方式を用いても良い）。
【００５７】
また、制御部３２には、キー入力部３９、音声処理部４０、本体ストロボ駆動部４１ａ、モニタストロボ駆動部４１ｂ、第１軸検出スイッチ４２、及び第２軸検出スイッチ４４が接続される。
【００５８】
キー入力部３９は、前述した電源キー８、シャッタキー９、モードスイッチ１０、メニューキー１２、及び十字キー１３等から構成され、それらのキー操作に伴なう信号は直接制御部３２へ送出される。
【００５９】
音声処理部４０は、ＰＣＭ音源等の音源回路を備え、音声の録音時にはマイクロホン部（ＭＩＣ）５より入力された音声信号をデジタル化し、所定のデータファイル形式、例えばＭＰ３（MPEG-1 Audio Layer-3）規格にしたがってデータ圧縮して音声データファイルを作成してメモリカード３７または内蔵メモリ３８へ送出する一方、音声の再生時にはメモリカード３７または内蔵メモリ３８から送られてきた音声データファイルの圧縮を解いてアナログ化し、スピーカ部（ＳＰ）１１を駆動して、拡声放音させる。
【００６０】
さらに音声処理部４０は、制御部３２からの制御に基づいて各種動作音、例えばシャッタキー９の操作に伴う擬似的なシャッタ音、他のキーの操作に伴うビープ音等も発生してスピーカ部１１より拡声放音させる。
【００６１】
本体ストロボ駆動部４１ａは、静止画像撮影時に図示しないストロボ用の大容量コンデンサを充電した上で、制御部３２からの制御に基づいて本体ストロボ発光部６ａを閃光駆動する。
【００６２】
モニタストロボ駆動部４１ｂは、静止画像撮影時に図示しないストロボ用の大容量コンデンサを充電した上で、制御部３２からの制御に基づいてモニタストロボ発光部６ｂを閃光駆動する。
【００６３】
第１軸検出スイッチ４２は、ヒンジ部７ａに設けられた第１軸７ｂの回転角度、すなわちモニタストロボ部７の収納状態から起立状態の範囲での位置を検出する。例えば、第１軸検出スイッチ４２は、モニタストロボ部７が収納状態の位置にあること、起立状態の位置にあること、さらに起立状態から所定の範囲内（例えば４５度までの範囲内）の位置にあることを検出できるものとする。モニタストロボ部７が起立状態から所定の範囲にある場合、制御部３２は、撮影レンズ２側に向いている表示部１７あるいはモニタストロボ発光部６ｂが使用可能であると判別するものとする。
【００６４】
第２軸検出スイッチ４４は、ヒンジ部７ａに設けられた第２軸７ｃの回転角度、すなわちモニタストロボ部７が向いている方向を検出する。例えば、第２軸検出スイッチ４４は、モニタストロボ部７が第２軸７ｃにより９０度以上回転した位置にあるか否かを検出できるものとする。制御部３２は、例えば図１（Ａ）に示すように、モニタストロボ部７の第２軸７ｃによる回転が９０度未満である場合には、表示部１７が撮影レンズ２による撮影方向に向いていると判別し、図２（Ａ）に示すように、９０度以上である場合にはモニタストロボ発光部６ｂが撮影方向に向いていると判別するものとする。
【００６５】
制御部３２は、第１軸検出スイッチ４２と第２軸検出スイッチ４４による検出結果をもとにモニタストロボ部７の状態、すなわち表示部１７とモニタストロボ発光部６ｂが何れの方向に向いているかといった状態を判別する。そして、制御部３２は、撮影モード時において、モニタストロボ部７の状態に基づいて、モニタストロボ駆動部４１ｂによるモニタストロボ発光部６ｂのストロボ発光を制御し、またＶＲＡＭコントローラ３３による表示部１７のモニタ表示を制御する。
【００６６】
しかるに、静止画像ではなく動画像の撮影時においては、シャッタキー９が操作され続けている間、前述した静止画データをＪＰＥＧ回路３６でデータ圧縮した静止画データファイルのメモリカード３７または内蔵メモリ３８への記録を時間的に連続して実行し、該シャッタキー９の操作が終わるか、または所定の制限時間、例えば３０秒が経過した時点でそれら一連の静止画データファイルを一括してモーションＪＰＥＧのデータファイル（ＡＶＩファイル）として設定し直す。
【００６７】
この時、音声付きの動画像の撮影が指定されている場合には、前述した如くマイクロホン部５からの入力により得た音声データファイルも関連付けて記録させる。
【００６８】
また、基本モードである再生モード時には、制御部３２がメモリカード３７または内蔵メモリ３８に記録されている画像データを選択的に読出し、ＪＰＥＧ回路３６で撮影モード時にデータ圧縮した手順と全く逆の手順で圧縮されている画像データを伸長し、伸長した画像データをＤＲＡＭインタフェース３０を介してＤＲＡＭ３１に保持させた上で、このＤＲＡＭ３１の保持内容をＶＲＡＭコントローラ３３を介してＶＲＡＭ３４に記憶させ、このＶＲＡＭ３４より定期的に画像データを読出してビデオ信号を発生し、表示部１７で再生出力させる。
【００６９】
選択した画像データが静止画像ではなく動画像であった場合、選択した動画像ファイルを構成する個々の静止画データの再生を時間的に連続して実行し、すべての静止画データの再生を終了した時点で、次に再生の指示がなされるまで先頭に位置する静止画データのみを用いて再生表示する。
【００７０】
次に、本実施形態におけるデジタルカメラ１の動作について説明する。なお、以下に示す各処理は、基本的に制御部３２が予め固定記憶したプログラムに基づいて実行するものである。
【００７１】
まず、ストロボモード設定処理について、図５に示すフローチャートを参照しながら説明する。
【００７２】
ストロボモード設定処理は、例えば表示部１７に表示されるメニューから、十字キー１３のキー操作によりストロボモード設定が選択された場合に実行される。
【００７３】
ストロボモード設定のキー操作がされると、制御部３２は、ストロボ選択メニューを表示部１７に表示させる。
【００７４】
図６（ａ）には、表示部１７に表示されるストロボ選択メニューの一例を示している。ストロボ選択メニューには、本体ストロボ発光部６ａとモニタストロボ発光部６ｂの一方あるいは両方を自動で選択して使用する「自動」モードと、ユーザが任意に選択して使用する「マニュアル」モードの何れかを任意に指定するための項目（「自動」「マニュアル」）が設けられている。
【００７５】
ここで、十字キー１３に対するキー操作がある場合（ステップＡ３、Ｙｅｓ）、制御部３２は、ストロボ選択メニューにおいて選択対象とする項目を現在の選択対象とは異なる方、例えば「自動」が選択対象となっている場合には「マニュアル」側に選択対象とする項目を切り替える（ステップＡ４）。制御部３２は、十字キー１３に対するキー操作があるたびに、選択対象とする項目を「自動」「マニュアル」との間で切り替える（ステップＡ３，Ａ４）。
【００７６】
ここで、例えばシャッタキー９の操作によって設定／実行が指示されると（ステップＡ５、Ｙｅｓ）、制御部３２は、「自動」モードが設定されている場合にはストロボモード設定処理を終了する（ステップＡ６、Ｎｏ）。
【００７７】
一方、制御部３２は、「マニュアル」モードが設定された場合には、制御部３２は、本体ストロボ発光部６ａとモニタストロボ発光部６ｂの何れを使用するかを選択させるためのＯＮ／ＯＦＦ選択メニューを表示部１７に表示させる。
【００７８】
図６（ｂ）には、ＯＮ／ＯＦＦ選択メニューの一例を示している。ＯＮ／ＯＦＦ選択メニューでは、本体ストロボ発光部６ａとモニタストロボ発光部６ｂのそれぞれについて、使用するか否か（ＯＮ／ＯＦＦ）を任意に指定することができる項目が設けられている。
【００７９】
ここで、十字キー１３に対するキー操作がある場合（ステップＡ８、Ｙｅｓ）、制御部３２は、ＯＮ／ＯＦＦ選択メニューにおいて、「本体ストロボ」／「モニタストロボ」の切り替え、あるいはＯＮ／ＯＦＦを切り替える（ステップＡ９）。例えば、十字キー１３に対して上下方向のキー操作があった場合には、選択対象とする項目を「本体ストロボ」と「モニタストロボ」との間で切り替える。また、十字キー１３に対して左右方向のキー操作があった場合には、現在、選択対象となっている項目について、「ＯＮ」「ＯＦＦ」との間で切り替える。
【００８０】
制御部３２は、十字キー１３に対するキー操作があるたびに、選択対象とする項目を「本体ストロボ」「モニタストロボ」との間で切り替える、あるいは「ＯＮ」「ＯＦＦ」との間で切り替える（ステップＡ８，Ａ９）。
【００８１】
ここで、例えばシャッタキー９の操作によって設定／実行が指示されると（ステップＡ１０、Ｙｅｓ）、制御部３２は、ストロボモード設定処理を終了する（ステップＡ１０、Ｙｅｓ）。
【００８２】
制御部３２は、ストロボモード設定処理により設定された内容を表すデータを、例えば図示せぬ不揮発性のメモリに記憶させておく。
【００８３】
こうして、ストロボモード設定処理では、本体に設けられた本体ストロボ発光部６ａと、モニタストロボ部７に設けられたモニタストロボ発光部６ｂの２つのストロボについて、ユーザからの指定により、どのように使用するかを任意に設定することができる。
【００８４】
次に、ストロボモード設定処理において「マニュアル」モードが選択されている場合の撮影モードにおける動作について、図７に示すフローチャートを参照しながら説明する。なお、撮影時のストロボの発光には、撮影時の被写体の明るさにより自動発光するモードや常に発光する強制発光モードが設定されていることを前提として説明する。
【００８５】
マニュアルモードでは、本体ストロボ発光部６ａとモニタストロボ発光部６ｂのＯＮ、ＯＦＦを任意に設定できるため、例えば被写体が遠い場合に、本体ストロボ発光部６ａではなくサイズの大きいモニタストロボ発光部６ｂを使用する、あるいは本体ストロボ発光部６ａとモニタストロボ発光部６ｂの両方を使用するといったことを選択できる。
【００８６】
また、本体ストロボ発光部６ａとモニタストロボ発光部６ｂを選択的に使用することで、バウンス効果を用いた撮影をすることもできる。バウンス効果とは、屋内撮影において自然な光が得られるようにするためのもので、例えば天井方向にフラッシュ光を照射し、天井からの反射光により撮影できるようにする。例えば室内では、人物をフラッシュ撮影した際に、発光部からの強い光のために被写体を浮かび上がらせ、背景（影）が暗く、人物の顔が白っぽくなってしまうことがある。こうした場合に、フラッシュを上向きにして天井にフラッシュ発光（バウンス発光）することで、人物に対して上（天井）から、やわらかな自然な光を照射して撮影することができる。
【００８７】
本実施形態では、ヒンジ部７ａの第１軸７ｂによって、モニタストロボ発光部６ｂを任意の角度で上方向に向けることができる。モニタストロボ発光部６ｂを上向きにする時の角度は、被写体との距離や天井の高さに応じて、あるいは天井からの反射光の強さや拡散具合などが、ユーザが意図したようになるよう調整することができる。
【００８８】
「マニュアル」モードが設定されている場合の撮影モードでは、ストロボモード設定処理によって設定された設定内容を表すデータと、ヒンジ部７ａ（第１軸７ｂ、第２軸７ｃ）の状態に応じて、本体ストロボ発光部６ａとモニタストロボ発光部６ｂに対する発光を制御する。
【００８９】
まず、制御部３２は、第１軸７ｂと第２軸７ｃの回転状態について、第１軸検出スイッチ４２と第２軸検出スイッチ４４の状態により判別する（ステップＢ１、Ｂ３）。
【００９０】
第１軸検出スイッチ４２により第１軸７ｂの回転が検知されていない場合、制御部３２は、図１（Ｂ）に示すように、モニタストロボ部７が収納状態にあるものとして、表示部１７によりモニタ表示がされるように制御する（ステップＢ２）。
【００９１】
一方、第１軸検出スイッチ４２により第１軸７ｂの回転が検知され、第２軸検出スイッチ４４により第２軸７ｃの回転が検知されていない場合には、制御部３２は、モニタストロボ部７が起立状態にあり、表示部１７の表示面が撮影レンズ２と同じ方向に向いているものと判別する。例えば、自分を撮影する場合に、モニタストロボ部７が起立状態である。この場合、制御部３２は、表示部１７によりモニタ表示がされるようにすると共に、ＶＲＡＭコントローラ３３に対して表示部１７において表示させる画像を上下反転させたミラー表示させるように制御する（ステップＢ４）（上下反転表示モード）。
【００９２】
また、第１軸検出スイッチ４２により第１軸７ｂの回転が検知され、第２軸検出スイッチ４４により第２軸７ｃの回転も検知されている場合には、制御部３２は、図２（Ａ）に示すように、モニタストロボ部７に設けられたモニタストロボ発光部６ｂが被写体の方向に向いており、モニタストロボ発光部６ｂが使用可能な状態にあるものと判別する。表示部１７には上下左右反転された画像がモニタ表示される。そこで、制御部３２は、ストロボモード設定処理において、モニタストロボ発光部６ｂを発光させるＯＮ設定されているかを判別する（ステップＢ５）。
【００９３】
なお、図２（Ａ）に示すように、モニタストロボ発光部６ｂを撮影に使用するために撮影レンズ２と同じ方向に向けられている場合だけでなく、バウンス効果を得るために上方向（被写体方向の斜め上方向）に向けられている場合などがある。
【００９４】
ここで、モニタストロボ発光部６ｂについてＯＮ設定されている場合（ステップＢ５、Ｙｅｓ）、制御部３２は、モニタストロボ駆動部４１ｂを駆動可能な状態に設定し、図示せぬコンデンサへの充電を開始させる（ステップＢ６）。
【００９５】
また、制御部３２は、ストロボモード設定処理において、本体ストロボ発光部６ａを発光させるＯＮ設定されているかを判別する（ステップＢ７）。ここで、本体ストロボ発光部６ａについてＯＮ設定されている場合（ステップＢ７、Ｙｅｓ）、制御部３２は、本体ストロボ駆動部４１ａを駆動可能な状態に設定し、図示せぬコンデンサへの充電を開始させる（ステップＢ８）。
【００９６】
制御部３２は、シャッタキー９が操作されたと判断した場合には（ステップＢ９、Ｙｅｓ）、直ちに撮像を実行する。この際、前述したようにヒンジ部７ａの第１軸７ｂと第２軸７ｃの状態、及びストロボモード設定処理での設定に応じて、本体ストロボ発光部６ａあるいはモニタストロボ発光部６ｂ（一方、あるいは両方）が発光される。
【００９７】
制御部３２は、撮像系（ＣＣＤ２３、Ｓ／Ｈ回路２６、Ａ／Ｄ変換器２７等）を介して得られた１フレーム分の画像データを、ＪＰＥＧ回路３６にてデータ圧縮してファイル化した後にメモリカード３７または内蔵メモリ３８に記録する（ステップＢ１０）。
【００９８】
このようにして、「マニュアル」モードによる撮影では、本体ストロボ発光部６ａとモニタストロボ発光部６ｂの２つのストロボを、ユーザからの指定により選択的に使用することができるので、撮影の状況に合わせた効果的なストロボ発光が可能となる。例えば被写体までの距離に合わせて何れか一方、あるいは両方を使用したり、バウンス効果を利用した撮影なども実現することができる。また、モニタストロボ発光部６ｂのみを使用するように設定すれば、ストロボ発光部と撮影レンズ２とを十分離すことができるため、赤目現象の低減を図ることもできる。
【００９９】
次に、ストロボモード設定処理において「自動」モードが選択されている場合の撮影モードにおける動作について、図８に示すフローチャートを参照しながら説明する。なお、撮影時のストロボの発光には、撮影時の被写体の明るさにより自動発光するモードや常に発光する強制発光モードが設定されていることを前提として説明する。
【０１００】
「自動」モードが設定されている場合の撮影モードでは、ヒンジ部７ａ（第１軸７ｂ、第２軸７ｃ）の状態と被写体までの距離に応じて、本体ストロボ発光部６ａとモニタストロボ発光部６ｂに対する発光を制御する。
【０１０１】
まず、制御部３２は、第１軸７ｂと第２軸７ｃの回転状態について、第１軸検出スイッチ４２と第２軸検出スイッチ４４の状態により判別する（ステップＣ１、Ｃ３）。
【０１０２】
第１軸検出スイッチ４２により第１軸７ｂの回転が検知されていない場合、制御部３２は、図１（Ｂ）に示すように、モニタストロボ部７が収納状態にあるものとして、表示部１７によりモニタ表示がされるように制御する（ステップＣ２）。
【０１０３】
また、制御部３２は、モニタストロボ部７が収納状態にあるため、本体ストロボ駆動部４１ａのみを駆動可能な状態に設定し、図示せぬコンデンサへの充電を開始させる（ステップＣ７）。
【０１０４】
一方、第１軸検出スイッチ４２により第１軸７ｂの回転が検知され、第２軸検出スイッチ４４により第２軸７ｃの回転が検知されていない場合には、制御部３２は、モニタストロボ部７が起立状態にあり、表示部１７の表示面が撮影レンズ２と同じ方向に向いているものと判別する。例えば、自分を撮影する場合に、モニタストロボ部７が起立状態である。この場合、制御部３２は、表示部１７によりモニタ表示がされるようにすると共に、ＶＲＡＭコントローラ３３に対して表示部１７において表示させる画像を上下反転させたミラー表示させるように制御する（ステップＣ４）（上下反転表示モード）。
【０１０５】
また、制御部３２は、モニタストロボ部７が起立状態にあるが、モニタストロボ発光部６ｂの向きが撮影レンズ２と反対側に向けられた状態にあるため、本体ストロボ駆動部４１ａのみを駆動可能な状態に設定し、図示せぬコンデンサへの充電を開始させる（ステップＣ７）。
【０１０６】
また、第１軸検出スイッチ４２により第１軸７ｂの回転が検知され、第２軸検出スイッチ４４により第２軸７ｃの回転も検知されている場合には、制御部３２は、図２（Ａ）に示すように、モニタストロボ部７に設けられたモニタストロボ発光部６ｂが被写体の方向に向いており、モニタストロボ発光部６ｂが使用可能な状態にあるものと判別する。表示部１７には上下左右反転された画像がモニタ表示される。そこで、制御部３２は、オートフォーカス機能により測定される被写体までの距離のデータを取得する（ステップＣ５）。
【０１０７】
ここで、被写体までの距離が、例えば１〜２ｍの範囲にある場合には、制御部３２は、本体ストロボ駆動部４１ａを駆動可能な状態に設定し、図示せぬコンデンサへの充電を開始させる（ステップＣ７）。すなわち、被写体までの距離が短いため、本体ストロボ発光部６ａのみを使用して撮影が実行されるようにする。
【０１０８】
また、被写体までの距離が、例えば２〜６ｍの範囲にある場合には、制御部３２は、モニタストロボ駆動部４１ｂを駆動可能な状態に設定し、図示せぬコンデンサへの充電を開始させる（ステップＣ８）。すなわち、被写体までの距離が長くなり、本体ストロボ発光部６ａのみではストロボ光が十分でない場合があるため、本体ストロボ発光部６ａより光量の多いモニタストロボ発光部６ｂのみを使用して撮影が実行されるようにする。
【０１０９】
また、被写体までの距離が、例えば６ｍを超える範囲にある場合には、制御部３２は、本体ストロボ駆動部４１ａとモニタストロボ駆動部４１ｂの両方を駆動可能な状態に設定し、図示せぬコンデンサへの充電をそれぞれ開始させる（ステップＣ９）。すなわち、被写体までの距離が長くなり、モニタストロボ発光部６ｂのみではストロボ光が十分でない場合があるため、本体ストロボ発光部６ａとモニタストロボ発光部６ｂの両方を使用して撮影が実行されるようにする。
【０１１０】
制御部３２は、シャッタキー９が操作されたと判断した場合には（ステップＣ１０、Ｙｅｓ）、直ちに撮像を実行する。この際、前述したようにヒンジ部７ａの第１軸７ｂと第２軸７ｃの状態、及び被写体までの距離に応じて、本体ストロボ発光部６ａあるいはモニタストロボ発光部６ｂ（一方、あるいは両方）が発光される。
【０１１１】
制御部３２は、撮像系（ＣＣＤ２３、Ｓ／Ｈ回路２６、Ａ／Ｄ変換器２７等）を介して得られた１フレーム分の画像データを、ＪＰＥＧ回路３６にてデータ圧縮してファイル化した後にメモリカード３７または内蔵メモリ３８に記録する（ステップＣ１１）。
【０１１２】
このようにして、「自動」モードによる撮影では、本体ストロボ発光部６ａとモニタストロボ発光部６ｂの２つのストロボを、ヒンジ部７ａ（第１軸７ｂ、第２軸７ｃ）の状態と被写体までの距離に応じて選択的に使用することができるので、ユーザが特別な操作をすることなく、撮影の状況に合わせた効果的なストロボ発光が可能となる。例えば被写体までの距離が遠くなるほど、本体ストロボ発光部６ａのみ、モニタストロボ発光部６ｂのみ、両方というように使い分けることができる。
【０１１３】
本実施形態におけるデジタルカメラ１では、モニタストロボ部７の表示部１７が設けられた面と反対の面にモニタストロボ発光部６ｂを設けているので、撮影レンズ２（レンズ鏡筒）やグリップ位置などの他の構成に関係なく、モニタストロボ発光部６ｂを設けることができる。また、モニタストロボ部７には、一方の面全体を用いてモニタストロボ発光部６ｂを実装することができるので、モニタストロボ部７の大きさに合わせて大光量のものを実装可能である。
【０１１４】
また、前述した説明では、２つのストロボ（本体ストロボ発光部６ａ、モニタストロボ発光部６ｂ）を用いてバウンス効果による撮影を行う場合について説明しているが、その他の利用形態にも適用することができる。例えば、２つのストロボを交互に使用できるモードを備えることで、ストロボを連続的に使用する連続撮影が可能となる。また、バウンス効果を得るために、ヒンジ部７ａの第１軸７ｂによりモニタストロボ発光部６ｂを上方向に向けるだけでなく、第２軸７ｃによって左右方向にも向きを変えることで、被写体に対して微妙にフラッシュ光の当て方を変えることができる。また、本体ストロボ発光部６ａとモニタストロボ発光部６ｂを両方使用する場合に、ストロボ光の照射タイミングをずらすこともできる。
【０１１５】
なお、ヒンジ部７ａの第１軸７ｂと第２軸７ｃによる回転角度は０〜１８０度の範囲としているが、この範囲に限定されるものではなく、１８０度を超える範囲まで回動可能としても良い。
【０１１６】
また、前述した説明では、モニタストロボ部７には、表面に表示部１７を設け、裏面にモニタストロボ発光部６ｂを設けるとしているが、表示部１７とモニタストロボ発光部６ｂとを同一の面に設ける構成としても良い。
【０１１７】
また、ヒンジ部７ａの第１軸７ｂは、水平な回転軸であり、モニタストロボ部７を上下方向に回動可能とする構成しているが、垂直な回転軸として設けても良い。この場合、ヒンジ部７ａの第１軸７ｂは、例えば図１において本体ボディの左端近傍に設けられる。モニタストロボ部７は、第１軸７ｂによって水平方向に回動可能となるため、第１軸７ｂによって本体ボディの横にモニタストロボ発光部６ｂまたは表示部１７を、撮影レンズ２と同一の方向に向けることができる。また、第２軸７ｃは、第１軸７ｂに対して垂直方向の回転軸であるので、モニタストロボ発光部６ｂまたは表示部１７を上下方向に回動させることができ、図１や図２に示す構成の場合と同様の効果を得ることができる。
【０１１８】
さらに、上記実施の形態には種々の段階の発明が含まれており、開示される複数の構成要件における適宜の組み合わせにより種々の発明が抽出され得る。例えば、実施の形態に示される全構成要件から幾つかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０１１９】
【図１】本発明をデジタルカメラに適用した場合の実施の形態（主に背面の構成）について示す図。
【図２】本発明をデジタルカメラに適用した場合の実施の形態（主に前面の構成）について示す図。
【図３】本実施形態におけるモニタストロボ部７を収納状態におけるモニタストロボ部７とヒンジ部７ａの断面構造を示す図。
【図４】本実施形態におけるデジタルカメラ１の電子回路構成を示すブロック図。
【図５】本実施形態におけるストロボモード設定処理について説明するためのフローチャート。
【図６】本実施形態における表示部１７に表示されるストロボ選択メニューの一例を示す図。
【図７】本実施形態における撮影モード（マニュアル）における動作について説明するためのフローチャート。
【図８】本実施形態における撮影モード（自動）における動作について説明するためのフローチャート。
【符号の説明】
【０１２０】
１…デジタルカメラ、２…撮影レンズ、３…セルフタイマランプ、４…光学ファインダ窓、５…マイクロホン部（ＭＩＣ）、６ａ…本体ストロボ発光部、６ｂ…モニタストロボ発光部、７…モニタストロボ部、７ａ…ヒンジ部、７ｂ…第１軸、７ｃ…第２軸、８…電源キー、９…シャッタキー、１０…モードスイッチ（ＳＷ）、１１…スピーカ部（ＳＰ）、１２…メニューキー、１３…十字キー、１５…光学ファインダ、１６…ストロボチャージランプ、１７…表示部、２１…モータ（Ｍ）、２２…レンズ光学系、２３…ＣＣＤ、２４…タイミング発生器（ＴＧ）、２５…垂直ドライバ、２６…サンプルホールド回路（Ｓ／Ｈ）、２７…Ａ／Ｄ変換器、２８…カラープロセス回路、２９…ＤＭＡコントローラ、３０…ＤＲＡＭインタフェース（Ｉ／Ｆ）、３１…ＤＲＡＭ、３２…制御部、３３…ＶＲＡＭコントローラ、３４…ＶＲＡＭ、３５…デジタルビデオエンコーダ、３６…ＪＰＥＧ回路、３７…メモリカード、３８…内蔵メモリ、４１ａ…本体ストロボ駆動部、４１ｂ…モニタストロボ駆動部、４２…第１軸検出スイッチ、４４…第２軸検出スイッチ。
【図１】
2005250399.tif 000003
【図２】
2005250399.tif 000004
【図３】
2005250399.tif 000005
【図４】
2005250399.tif 000006
【図５】
2005250399.tif 000007
【図６】
2005250399.tif 000008
【図７】
2005250399.tif 000009
【図８】
2005250399.tif 000010